(57)【要約】【課題】リボン状ゴムを回転支持体の外周面に巻き付けてゴム部材を製造する方法において、リボン状ゴムの巻き始め部分の形状を安定化する。【解決手段】押出機１４から押し出されたリボン状ゴムＧを、貼付ローラ１６を経て一対の送りローラ２０，２２によりテンションをかけて引き取りかつその下流側に送る、待機工程を設け、待機工程から回転支持体１２へのリボン状ゴムＧの巻き付け開始時に、リボン状ゴムＧを切断し、その下流側のリボン状ゴムＧ１を一対の送りローラ２０，２２により引き取るとともに、上流側のリボン状ゴムＧ２の切断端を貼付ローラ１６により回転支持体１２の外周面に貼り付けるようにして、リボン状ゴムＧを回転支持体１２の外周面に巻き付けてゴム部材を形成する。【選択図】図１
2018149680.tif 000002
【特許請求の範囲】
【請求項１】
リボン状ゴムを回転支持体の外周面に巻き付けてゴム部材を形成するゴム部材の製造方法であって、
（Ａ）押出機からリボン状ゴムを押し出しながら、押し出されたリボン状ゴムを押出機前方に位置する貼付ローラを経て前記貼付ローラの下方に位置する一対の送りローラによりテンションをかけて引き取りかつその下流側に送る、待機状態にすること、
（Ｂ）前記待機状態から回転支持体へのリボン状ゴムの巻き付けを開始する際に、前記押出機から押し出されたリボン状ゴムを切断手段により切断し、切断箇所よりも下流側のリボン状ゴムを前記一対の送りローラにより引き取るとともに、切断箇所よりも上流側のリボン状ゴムの切断端を前記貼付ローラにより前記回転支持体の外周面に貼り付けること、
（Ｃ）前記押出機から押し出されたリボン状ゴムを、前記貼付ローラを経て前記回転支持体の外周面に巻き付けてゴム部材を形成すること、及び、
（Ｄ）前記回転支持体へのリボン状ゴムの巻き付けを終了する際に、前記押出機から押し出されたリボン状ゴムを前記切断手段により切断し、切断箇所よりも下流側のリボン状ゴムを前記回転支持体に巻き付けるとともに、切断箇所よりも上流側のリボン状ゴムを前記一対の送りローラで受けて前記待機状態に戻ること、
を含む、ゴム部材の製造方法。
【請求項２】
前記（Ａ）において、前記押出機から押し出されたリボン状ゴムを、前記貼付ローラと、前記一対の送りローラと、前記一対の送りローラの下流側に設けられた回収装置を経て、前記押出機に戻すことによりゴムを循環させ、
前記（Ｂ）において、切断箇所よりも下流側のリボン状ゴムを前記一対の送りローラで引き取って前記回収装置により前記押出機に戻す、
請求項１に記載のゴム部材の製造方法。
【請求項３】
前記（Ｂ）において、前記貼付ローラを前記押出機及び前記一対の送りローラとともに前記回転支持体に向かって前進させ、前進した位置で前記上流側のリボン状ゴムの切断端を前記貼付ローラにより前記回転支持体の外周面に貼り付ける、請求項１又は２に記載のゴム部材の製造方法。
【請求項４】
前記（Ｂ）で前記上流側のリボン状ゴムの切断端を前記回転支持体に貼り付ける際に、前記貼付ローラの外周面に設けられた噴出口から気体を噴射して前記切断端を貼付ローラから剥がす、請求項１〜３のいずれか１項に記載のゴム部材の製造方法。
【請求項５】
前記（Ｄ）において、前記貼付ローラの外周面に設けられた噴出口から気体を噴射して前記上流側のリボン状ゴムの切断端を前記貼付ローラから剥がす、請求項１〜４のいずれか１項に記載のゴム部材の製造方法。
【請求項６】
前記（Ｂ）で前記下流側のリボン状ゴムを前記一対の送りローラで引き取る際に、前記一対の送りローラの回転速度を上げる、請求項１〜５のいずれか１項に記載のゴム部材の製造方法。
【請求項７】
前記（Ｄ）で前記下流側のリボン状ゴムを前記回転支持体に巻き付ける際に、前記回転支持体の回転速度を上げる、請求項１〜６のいずれか１項に記載のゴム部材の製造方法。
【請求項８】
リボン状ゴムを回転支持体の外周面に巻き付けてゴム部材を形成するゴム部材の製造装置であって、
外周面にゴム部材を形成するための回転支持体と、
リボン状ゴムを押し出す押出機と、
前記押出機の前方に位置して押し出された前記リボン状ゴムを前記回転支持体に貼り付ける貼付ローラと、
前記貼付ローラの下方に位置して当該貼付ローラから下方に送られるリボン状ゴムをテンションをかけて引き取りかつその下流側に送る一対の送りローラと、
前記リボン状ゴムを切断する切断手段と、
前記押出機から押し出されたリボン状ゴムを前記貼付ローラを経て前記一対の送りローラによりテンションをかけて引き取りかつその下流側に送る待機モードと、前記押出機から押し出されたリボン状ゴムを前記貼付ローラを経て前記回転支持体の外周面に巻き付けてゴム部材を形成する巻き付けモードと、を有する制御部と、
を備え、
前記待機モードから前記巻き付けモードに移行する際に、前記押出機から押し出されたリボン状ゴムを切断手段により切断し、切断箇所よりも下流側のリボン状ゴムを前記一対の送りローラにより引き取るとともに、切断箇所よりも上流側のリボン状ゴムの切断端を前記貼付ローラにより前記回転支持体の外周面に貼り付け、また、前記巻き付けモードから前記待機モードに移行する際に、前記押出機から押し出されたリボン状ゴムを前記切断手段により切断し、切断箇所よりも下流側のリボン状ゴムを前記回転支持体に巻き付けるとともに、切断箇所よりも上流側のリボン状ゴムを前記一対の送りローラで受ける、
ゴム部材の製造装置。
【請求項９】
前記一対の送りローラの下流側に設けられて一対の送りローラから送られたリボン状ゴムを前記押出機に戻す回収装置と、前記貼付ローラを前記押出機及び前記一対の送りローラとともに前記回転支持体に対して前進及び後退させる移動手段と、を備える請求項８に記載のゴム部材の製造装置。
【請求項１０】
前記貼付ローラは気体を噴射可能な噴出口を外周面に備える、請求項８又は９に記載のゴム部材の製造装置。
【発明の詳細な説明】
【技術分野】
【０００１】
本発明は、リボン状ゴムを回転支持体に巻き付けてゴム部材を形成するゴム部材の製造方法及び製造装置に関する。
【背景技術】
【０００２】
ゴム部材、例えば空気入りタイヤは、一般に、成形ドラム上でグリーンタイヤを成形した後に、該グリーンタイヤをモールド内にセットして加硫成型することにより製造される。かかるグリーンタイヤを成形する方法として、成形ドラム等の回転する支持体の外周面に未加硫のリボン状ゴム（ゴムストリップとも称される）を螺旋状に巻き付けて、所定の断面形状を有するゴム部材（例えば、トレッドゴムやサイドウォールゴム）を形成する方法が知られている（特許文献１，２参照）。
【０００３】
このようにリボン状ゴムを巻き付けてゴム部材を形成する場合、押出機からリボン状ゴムを押し出しながら、押し出されたリボン状ゴムを、貼付ローラなどを用いて回転支持体の外周面に巻き付ける。その場合、従来の製法では、押出機からリボン状ゴムの押し出しを開始し、その開始端を含むリボン状ゴムをそのまま回転支持体に巻き付けている。通常、押し出されたリボン状ゴムの開始端はコブ状に膨らんでいるため、従来の製法では巻き始め部分の形状が不安定であり、タイヤのユニフォミティ悪化の要因になったり、耐久性が損なわれたりする要因となる。
【先行技術文献】
【特許文献】
【０００４】
【特許文献１】特開２００８−１１９９９３号公報
【特許文献２】特開２０１６−１７２３６０号公報
【発明の概要】
【発明が解決しようとする課題】
【０００５】
本発明の実施形態は、上記の点に鑑み、リボン状ゴムを巻き付ける際にその巻き始め部分の形状を安定化することができるゴム部材の製造方法及び製造装置を提供することを目的とする。
【課題を解決するための手段】
【０００６】
本実施形態に係るゴム部材の製造方法は、リボン状ゴムを回転支持体の外周面に巻き付けてゴム部材を形成するゴム部材の製造方法であって、
（Ａ）押出機からリボン状ゴムを押し出しながら、押し出されたリボン状ゴムを押出機前方に位置する貼付ローラを経て前記貼付ローラの下方に位置する一対の送りローラによりテンションをかけて引き取りかつその下流側に送る、待機状態にすること、
（Ｂ）前記待機状態から回転支持体へのリボン状ゴムの巻き付けを開始する際に、前記押出機から押し出されたリボン状ゴムを切断手段により切断し、切断箇所よりも下流側のリボン状ゴムを前記一対の送りローラにより引き取るとともに、切断箇所よりも上流側のリボン状ゴムの切断端を前記貼付ローラにより前記回転支持体の外周面に貼り付けること、
（Ｃ）前記押出機から押し出されたリボン状ゴムを、前記貼付ローラを経て前記回転支持体の外周面に巻き付けてゴム部材を形成すること、及び、
（Ｄ）前記回転支持体へのリボン状ゴムの巻き付けを終了する際に、前記押出機から押し出されたリボン状ゴムを前記切断手段により切断し、切断箇所よりも下流側のリボン状ゴムを前記回転支持体に巻き付けるとともに、切断箇所よりも上流側のリボン状ゴムを前記一対の送りローラで受けて前記待機状態に戻ること、
を含むものである。
【０００７】
本実施形態に係るゴム部材の製造装置は、リボン状ゴムを回転支持体の外周面に巻き付けてゴム部材を形成するゴム部材の製造装置であって、外周面にゴム部材を形成するための回転支持体と、リボン状ゴムを押し出す押出機と、前記押出機の前方に位置して押し出された前記リボン状ゴムを前記回転支持体に貼り付ける貼付ローラと、前記貼付ローラの下方に位置して当該貼付ローラから下方に送られるリボン状ゴムをテンションをかけて引き取りかつその下流側に送る一対の送りローラと、前記リボン状ゴムを切断する切断手段と、制御部と、を備える。制御部は、前記押出機から押し出されたリボン状ゴムを前記貼付ローラを経て前記一対の送りローラによりテンションをかけて引き取りかつその下流側に送る待機モードと、前記押出機から押し出されたリボン状ゴムを前記貼付ローラを経て前記回転支持体の外周面に巻き付けてゴム部材を形成する巻き付けモードと、を有する。該製造装置は、前記待機モードから前記巻き付けモードに移行する際に、前記押出機から押し出されたリボン状ゴムを切断手段により切断し、切断箇所よりも下流側のリボン状ゴムを前記一対の送りローラにより引き取るとともに、切断箇所よりも上流側のリボン状ゴムの切断端を前記貼付ローラにより前記回転支持体の外周面に貼り付け、また、前記巻き付けモードから前記待機モードに移行する際に、前記押出機から押し出されたリボン状ゴムを前記切断手段により切断し、切断箇所よりも下流側のリボン状ゴムを前記回転支持体に巻き付けるとともに、切断箇所よりも上流側のリボン状ゴムを前記一対の送りローラで受ける。
【発明の効果】
【０００８】
本実施形態によれば、貼付ローラと一対の送りローラを用いて押出機からリボン状ゴムを押し出し続ける待機状態を設け、回転支持体への巻き付けを開始する際に、この押し出し続けているリボン状ゴムを切断して、その切断端を用いて巻き始めるので、巻き始め形状を安定化することができる。
【図面の簡単な説明】
【０００９】
【図１】一実施形態に係るタイヤ成形装置の待機状態での側面模式図
【図２】リボン状ゴムの巻き付け開始時における切断工程の側面模式図
【図３】リボン状ゴム切断後の要部拡大側面図
【図４】リボン状ゴムの切断端の貼付時における要部拡大側面図
【図５】リボン状ゴムの巻き付け時における側面模式図
【図６】リボン状ゴムの巻き付け終了時における切断工程の要部拡大側面図
【図７】リボン状ゴムの切断後の要部拡大側面図
【図８】リボン状ゴムの切断後の要部拡大側面図
【図９】貼付ローラを模式的に示す斜視図
【図１０】他の実施形態におけるリボン状ゴムの巻き付け時における要部拡大側面図
【発明を実施するための形態】
【００１０】
以下、本発明の実施形態について図面を参照して説明する。
【００１１】
本実施形態のゴム部材の製造装置は、リボン状ゴムを回転支持体の外周面に巻き付けて所定形状のゴム部材を形成するためのものであり、以下では、その一例として、ゴム部材であるタイヤ構成部材を形成してグリーンタイヤを成形するタイヤ成形装置、及びタイヤ構成部材の製造方法について詳細に説明する。
【００１２】
一実施形態に係るタイヤ成形装置１０は、図１に示すように、外周面にゴム部材を形成するための成形ドラム１２と、リボン状ゴムＧを押し出す押出機１４と、押し出されたリボン状ゴムＧを成形ドラム１２に貼り付ける貼付ローラ１６と、リボン状ゴムＧを切断する切断手段１８と、貼付ローラ１６の下方に位置する一対の送りローラ２０，２２と、リボン状ゴムＧを押出機１４に戻す回収装置２４と、貼付ローラ１６を前進及び後退させる移動手段２６と、を備える。
【００１３】
成形ドラム１２は、水平な軸心回りに回転可能な回転支持体であり、成形するグリーンタイヤの形状に対応した円筒状又はトロイダル状の外周面を有する。成形ドラム１２は、その軸方向において貼付ローラ１６との相対位置を変更できるように、軸方向に移動可能に構成されており、上記の回転とこの軸方向への移動により、リボン状ゴムＧを螺旋状に巻き付けることを可能にしている。
【００１４】
押出機１４は、所定の断面形状の未加硫のリボン状ゴムＧを連続して押し出し成形するものであり、先端にリボン状ゴムＧを吐出する口金２８を備える。また、押出機１４の後端部には、押出機１４に原料ゴムを供給するための供給口３０が設けられている。
【００１５】
貼付ローラ１６は、押出機１４の前方に位置して成形ドラム１２と逆方向に回転する駆動ローラであり、より詳細には口金２８の前方において近傍に配置されている。貼付ローラ１６は、成形ドラム１２と平行な軸心を持つローラであり、この例では、貼付ローラ１６の軸心は成形ドラム１２の軸心と実質上同じ高さに設定されている。
【００１６】
口金２８から水平に押し出されるリボン状ゴムＧは貼付ローラ１６の外周面に向かって供給され、貼付ローラ１６はこのリボン状ゴムＧを接線方向で受け取り、回転に伴いその外周面に沿ってリボン状ゴムＧを下方に案内するように配置されている。すなわち、貼付ローラ１６はその外周面の頂点位置が口金２８と実質上同じ高さに位置するように設けられている。貼付ローラ１６は、押し出されたリボン状ゴムＧを成形ドラム１２に供給するモードと、押し出されたリボン状ゴムＧを下方にある一対の送りローラ２０，２２に送り出すモードとを有する。
【００１７】
貼付ローラ１６の大きさは、特に限定しないが、回転数が大きくなりすぎないようにするため、貼付ローラ１６の直径が成形ドラム１２の直径の１／２０〜１／２であることが好ましく、より好ましくは１／１０〜１／３である。また、貼付ローラ１６の幅は、例えば、リボン状ゴムＧの幅の１〜３倍程度に設定することができる。
【００１８】
貼付ローラ１６は、図９に示すように、気体（空気）を噴射可能な噴出口３１を外周面に備える。噴出口３１は、貼付ローラ１６の外周面に複数設けられており、この例では外周面の全体に均等に分散配置されている。貼付ローラ１６の内部には不図示の気体供給源が接続され、該気体供給源から供給された気体が噴射口３１より外部に噴射されるように構成されている。
【００１９】
切断手段１８は、リボン状ゴムＧを貼付ローラ１６上で切断するものであり、図２に示すように、押出機１４から押し出されて貼付ローラ１６の外周面で受け取ったリボン状ゴムＧを、その受け取り位置で切断可能に設けられている。
【００２０】
一実施形態として、切断手段１８は、図９に示すように貼付ローラ１６に設けられている。詳細には、切断手段１８は、回転可能な円板状のカッタ３２と、該カッタ３２を貼付ローラ１６の外周面における上端部において軸方向に平行に移動させるカッタ駆動部３４とで構成されており、カッタ駆動部３４によりカッタ３２を移動させることで、リボン状ゴムＧを幅方向に切断する。カッタ駆動部３４は、貼付ローラ１６の上方においてその軸方向に平行に延びるレール３４Ａと、レール３４Ａを走行する走行部３４Ｂと、貼付ローラ１６の中心軸から上方に延びてレール３４Ａを支持する支持腕３４Ｃとを備え、走行部３４Ａにカッタ３２が回転可能に取り付けられている。なお、切断手段１８としては、走行中のリボン状ゴムＧを切断できるものであれば、円板状のカッタ３２には限定されず、平板状のカッタを用いてもよく、また、軸方向にスライドさせる場合には限定されず、リボン状ゴムＧの幅に対応した幅を持つカッタで裁断するなど、種々の切断装置を用いることができる。
【００２１】
一対の送りローラ２０，２２は、貼付ローラ１６から下方に送られるリボン状ゴムＧを、テンションをかけて引き取りかつその下流側に送り出す（即ち、たるみがないように引っ張って送り出す）駆動ローラである。一対の送りローラ２０，２２はその間にリボン状ゴムＧを挟んで送り出すものであり、両者の軸心は平行であり、かつ貼付ローラ１６の軸心とも平行である。
【００２２】
一対の送りローラ２０，２２は、この例では、貼付ローラ１６の真下に位置しており、貼付ローラ１６から自重で垂れ下がるリボン状ゴムＧを一対の送りローラ２０，２２間で受け取ることができるように配置されている。一対の送りローラ２０，２２は、リボン状ゴムＧを一定のテンションをかけて引き取るローラであり、そのため、押出機１４から押し出されるリボン状ゴムＧの形状を一定に保つことができる。
【００２３】
回収装置２４は、一対の送りローラ２０，２２の下流側に設けられて、当該送りローラ２０，２２から送られたリボン状ゴムＧを押出機１４に戻す装置である。この例では、図１に示されるように、回収装置２４は、一対の送りローラ２０，２２の下方に位置して後方に向かって延びる第１コンベア３６と、第１コンベア３６の後方において上方に傾斜して延びる第２コンベア３８と、第２コンベア３８の下端部における表面に対向配置されたローラ３９とを備えてなる。これにより、回収装置２４は、送りローラ２０，２２から送り出されたリボン状ゴムＧを第１コンベア３６で後方に送り、第１コンベア３６から送り出されたリボン状ゴムＧをローラ３９と第２コンベア３８で受け取って押出機１４の供給口３０に送ることで、押出機１４にリボン状ゴムＧを戻すよう構成されている。
【００２４】
なお、回収装置２４は、リボン状ゴムＧを押出機１４に戻すことができるものであれば、このようなコンベアを用いたものには限定されず、ローラのみ構成してもよく、また吸引器を用いて構成してもよい。
【００２５】
移動手段２６は、貼付ローラ１６を押出機１４及び一対の送りローラ２０，２２とともに成形ドラム１２に対して前進及び後退させるものである。この例では、更に回収装置２４も貼付ローラ１６とともに前後に移動できるように構成されている。
【００２６】
詳細には、図１に示すように、移動手段２６は、押出機１４と貼付ローラ１６と送りローラ２０，２２と回収装置２４を支持する支持フレーム４０と、支持フレーム４０を前後に移動させるための前後方向に延びるレール４２とからなり、不図示の駆動手段により支持フレーム４０がレール４２上を走行することで、押出機１４と貼付ローラ１６と送りローラ２０，２２と回収装置２４が一体となって前後方向に移動可能に構成されている。
【００２７】
成形ドラム１２、押出機１４、貼付ローラ１６、切断手段１８、送りローラ２０，２２、回収装置２４及び移動手段２６は、コンピュータで構成される制御部４４に接続されており、それらの動作が制御される。制御部４４は、その運転モードとして、（１）押出機１４から押し出されたリボン状ゴムＧを、貼付ローラ１６を経て一対の送りローラ２０，２２によりテンションをかけて引き取りかつその下流側に送る、待機モードと、（２）押出機１４から押し出されたリボン状ゴムＧを、貼付ローラ１６を経て成形ドラム１２の外周面に巻き付けてゴム部材を形成する巻き付けモード、を有する。
【００２８】
そして、制御部４４は、待機モードから巻き付けモードに移行する際に、押出機１４から押し出されたリボン状ゴムＧを切断手段１８により切断し、切断箇所よりも下流側のリボン状ゴムＧ１を一対の送りローラ２０，２２により引き取るとともに、切断箇所よりも上流側のリボン状ゴムＧ２の切断端を貼付ローラ１６により成形ドラム１２の外周面に貼り付けるように制御する。また、制御部４４は、巻き付けモードから待機モードに移行する際に、押出機１４から押し出されたリボン状ゴムＧを切断手段１８により切断し、切断箇所よりも下流側のリボン状ゴムＧ３を成形ドラム１２に巻き付けるとともに、切断箇所よりも上流側のリボン状ゴムＧ４を一対の送りローラ２０，２２で受けるように制御する。
【００２９】
このような制御部４４により制御される本実施形態に係るタイヤ構成部材の製造方法の詳細について、以下に説明する。
【００３０】
実施形態に係るタイヤ構成部材の製造方法は、待機工程（Ａ）と、巻き付け開始工程（Ｂ）と、巻き付け工程（Ｃ）と、巻き付け終了工程（Ｄ）と、を含む。
【００３１】
待機工程（Ａ）では、図１に示すように、押出機１４からリボン状ゴムＧを押し出しながら、押し出されたリボン状ゴムＧを、貼付ローラ１６を経て一対の送りローラ２０，２２によりテンションをかけて引き取りかつその下流側に送る。この状態が待機状態であり、当該待機状態を維持する。この例では、待機状態は、押出機１４から押し出されたリボン状ゴムＧを、貼付ローラ１６と、一対の送りローラ２０，２２と、回収装置２４を経て、押出機１４に戻すことにより、ゴムを循環させている状態である。待機工程（Ａ）では、貼付ローラ１６は成形ドラム１２から離間した後方待機位置にある。
【００３２】
押出機１４からは一定の吐出量でリボン状ゴムＧが押し出されており、待機工程（Ａ）では、該リボン状ゴムＧを一対の送りローラ２０，２２でテンションをかけて引き続けるので、リボン状ゴムＧに一定のテンションがかかり、その形状が安定化する（一定の断面形状を持つ）。
【００３３】
待機状態から成形ドラム１２へのリボン状ゴムＧの巻き付けを開始するとき、即ち巻き付け開始工程（Ｂ）では、押出機１４から押し出されたリボン状ゴムＧを切断手段１８により切断する第１切断工程（Ｂ１）と、切断箇所よりも下流側のリボン状ゴムＧ１を一対の送りローラ２０，２２により引き取る回収工程（Ｂ２）と、切断箇所よりも上流側のリボン状ゴムＧ２の切断端Ｇ２Ｅを貼付ローラ１６により成形ドラム１２の外周面に貼り付ける切断端貼付工程（Ｂ３）とを実施する。巻き付け開始工程（Ｂ）は、更に、貼付ローラ１６を押出機１４及び一対の送りローラ２０，２２とともに成形ドラム１２に向かって前進させる前進工程（Ｂ４）を有してもよい。
【００３４】
この例では、図２に示すように、まず、貼付ローラ１６を含む支持フレーム４０の前方への移動を開始するとともに、成形ドラム１２の回転を開始する。そして、貼付ローラ１６が成形ドラム１２近傍の設定位置まで前進した段階で、前進を続けながら切断手段１８によりリボン状ゴムＧを切断する。
【００３５】
切断箇所よりも下流側、即ち前方のリボン状ゴムＧ１は、一対の送りローラ２０，２２により引き取られ、回収装置２４により押出機１４に戻される。その際、この例では、一対の送りローラ２０，２２の回転速度を一時的に上げるように、制御部４４により制御する。これにより、図２及び図３に示すように、当該下流側のリボン状ゴムＧ１を上流側のリボン状ゴムＧ２からすばやく分離することができる。
【００３６】
一方、切断箇所よりも上流側、即ち後方のリボン状ゴムＧ２は、図３及び図４に示すように、その切断端Ｇ２Ｅが、貼付ローラ１６の回転とともに、貼付ローラ１６と成形ドラム１２との隙間に導かれ、貼付ローラ１６により成形ドラム１２の外周面に押し付けられることで、成形ドラム１２への貼り付けがなされる。
【００３７】
この例では、図４に示すように、上流側のリボン状ゴムＧ２の切断端Ｇ２Ｅを成形ドラム１２に貼り付ける際に、貼付ローラ１６の外周面に設けられた噴出口３１から気体を噴射して、切断端Ｇ２Ｅを貼付ローラ１６から剥がすように構成されている。
【００３８】
なお、この切断端Ｇ２Ｅが上記隙間に導かれた段階では、貼付ローラ１６の前進は完了している。そのため、前進が完了した位置で、上流側のリボン状ゴムＧ２の切断端Ｇ２Ｅを貼付ローラ１６により成形ドラム１２の外周面に貼り付ける。
【００３９】
ここで、貼付ローラ１６の前進は、貼付ローラ１６と成形ドラム１２との隙間がリボン状ゴムＧ２を成形ドラム１２に対して転写により貼り付け可能な大きさ（例えば、リボン状ゴムＧの厚みに相当する隙間以下）となった時点で完了するように、停止位置が予め設定されている。また、貼付ローラ１６の前進は、下流側のリボン状ゴムＧ１が貼付ローラ１６から引き離された後で、該停止位置に移動するように、その移動速度が設定されている。
【００４０】
リボン状ゴムＧの巻き付けを開始した後、図５に示すように、押出機１４から押し出されたリボン状ゴムＧを、貼付ローラ１６を経て成形ドラム１２の外周面に巻き付けて積層する巻き付け工程（Ｃ）となる。なお、巻き付け工程（Ｃ）では、送りローラ２０，２２及び回収装置２４は停止しておくことが好ましい。
【００４１】
巻き付け工程（Ｃ）では、貼付ローラ１６により巻き付けられたリボン状ゴムＧを、不図示のステッチャーローラを用いて押圧し、これによりリボン状ゴムＧ同士や、リボン状ゴムＧとその内側の他のタイヤ構成部材とを圧着してもよい。このようなリボン状ゴムＧの巻き付けは、回転する成形ドラム１２の軸方向への移動及び移動手段２６による貼付ローラ１６の前後方向への移動を行いつつ、連続的に実施され、これにより、リボン状ゴムＧを一部重ねながら螺旋状に巻回し、成形ドラム１２の外周面に１層又は複数層積層することで、所定の断面形状のタイヤ構成部材を形成する。
【００４２】
次いで、かかる巻き付け工程（Ｃ）から巻き付けを終了するとき、即ち巻き付け終了工程（Ｄ）では、押出機１４から押し出されたリボン状ゴムＧを切断手段１８により切断する第２切断工程（Ｄ１）と、切断箇所よりも下流側のリボン状ゴムＧ３を成形ドラム１２に巻き付ける切断端巻き付け工程（Ｄ２）と、切断箇所よりも上流側のリボン状ゴムＧ４を一対の送りローラ２０，２２で受けて待機状態に戻る回収再開工程（Ｄ３）とを実施する。巻き付け終了工程（Ｄ）は、更に、貼付ローラ１６を押出機１４及び一対の送りローラ２０，２２とともに成形ドラム１２から離れるように後退させる後退工程（Ｄ４）を有してもよい。
【００４３】
この例では、図６に示すように、まず、切断手段１８によりリボン状ゴムＧを切断する。その後、図７に示すように、貼付ローラ１６を含む支持フレーム４０の後方への移動を開始するとともに、切断箇所よりも下流側のリボン状ゴムＧ３を成形ドラム１２に巻き付ける。その際、この例では、成形ドラム１２の回転速度を一時的に上げるように、制御部４４により制御する。これにより、当該下流側のリボン状ゴムＧ３を上流側のリボン状ゴムＧ４からすばやく分離して、その切断端Ｇ３Ｅを成形ドラム１２に巻き付けることができる。
【００４４】
一方、切断箇所よりも上流側、即ち後方のリボン状ゴムＧ４は、その切断端Ｇ４Ｅが、貼付ローラ１６の回転とともに、その外周面に沿って下方に導かれる。その際、この例では、図８に示すように、貼付ローラ１６の外周面に設けられた噴出口３１から気体を噴射して、上流側のリボン状ゴムＧ４の切断端Ｇ４Ｅを貼付ローラ１６から剥がす。これにより、上流側のリボン状ゴムＧ４は、その自重により垂れ下がるので、更に押し出しを続けることにより、その下方に位置する一対の送りローラ２０，２２に導かれる。そのため、一対の送りローラ２０，２２の回転を開始しておくことにより、リボン状ゴムＧ４は一対の送りローラ２０，２２により引き取られ、回収装置２４を経て押出機１４に戻されるので、図１に示す待機状態に復帰することができる。
【００４５】
貼付ローラ１６を含む支持フレーム４０の後退は、図１に示す所定の後方待機位置まで移動した段階で停止される。
【００４６】
以上よりなる本実施形態によれば、貼付ローラ１６と一対の送りローラ２０，２２を用いて押出機１４からリボン状ゴムＧを押し出し続ける待機状態を設け、成形ドラム１２への巻き付けを開始する際に、この押し出し続けているリボン状ゴムＧを切断して、その切断端Ｇ２Ｅを用いて巻き始めるので、巻き始め形状を安定化することができる。詳細には、一定量吐出し続けているリボン状ゴムＧを切断して、当該切断端Ｇ２Ｅを巻き始め端とするため、従来のようなコブ状の巻き始め端に起因する形状不安定を回避することができる。そのため、タイヤのユニフォミティの悪化や耐久性の悪化を防ぐことができる。
【００４７】
また、一対の送りローラ２０，２２でテンションをかけて引き取るため、フェスツーンのような過大なスペースを必要とする機構も不要である。
【００４８】
本実施形態によれば、また、待機状態において、回収装置２４を用いて押出機１４にリボン状ゴムＧを戻すようにしてゴムを循環させるので、巻き付けに使用しないゴムを再利用することができる。
【００４９】
また、巻き付け開始工程（Ｂ）において、貼付ローラ１６を押出機１４及び一対の送りローラ２０，２２とともに成形ドラム１２に向かって前進させるようにしたので、リボン状ゴムＧにテンションがかかっている押出機１４と貼付ローラ１６と送りローラ２０，２２との位置関係を一定に保つことができる。そのため、貼り付け直前までリボン状ゴムＧを一定のテンションに維持することができ、巻き始め形状をより一層安定化することができる。
【００５０】
また、巻き付け開始工程（Ｂ）において、下流側のリボン状ゴムＧ１を一対の送りローラ２０，２２で引き取る際に、一対の送りローラ２０，２２の回転速度を上げるようにしたので、当該下流側のリボン状ゴムＧ１を上流側のリボン状ゴムＧ２からすばやく分離して、リボン状ゴムＧ１を回収することができる。
【００５１】
また、巻き付け開始工程（Ｂ）において、貼付ローラ１６の外周面に設けられた噴出口３１から気体を噴射して切断端Ｇ２Ｅを貼付ローラ１６から剥がすようにしたので、当該切断端Ｇ２Ｅをより確実に成形ドラム１２に貼り付けることができる。
【００５２】
また、巻き付け終了工程（Ｄ）において、下流側のリボン状ゴムＧ３を成形ドラム１２に巻き付ける際に、成形ドラム１２の回転速度を上げるようにしたので、当該下流側のリボン状ゴムＧ３の切断端Ｇ３Ｅをより確実に成形ドラム１２に巻き付けることができる。
【００５３】
また、巻き付け終了工程（Ｄ）において、貼付ローラ１６の外周面に設けられた噴出口３１から気体を噴射して上流側のリボン状ゴムＧ４の切断端Ｇ４Ｅを貼付ローラ１６から剥がすようにしたので、当該切断端Ｇ４Ｅをより確実に送りローラ２０，２２に導くことができ、待機状態に復帰することができる。
【００５４】
上記実施形態では、巻き付け終了工程（Ｄ）において、リボン状ゴムＧの切断直後に貼付ローラ１６を含む支持フレーム４０の後退を開始したが、支持フレーム４０の後退は、切断端貼付工程（Ｂ３）の直後でもよい。リボン状ゴムＧは一旦成形ドラム１２に貼り付けると、その後はステッチャーローラ等の作用により、貼付ローラ１６で押し付けなくても、成形ドラム１２の外周面に巻き付けられる。そのため、貼付ローラ１６は成形ドラム１２からある程度離れていてもよく、そのような巻き付け可能な範囲内で後退した位置に移動させてもよい。
【００５５】
図１０はこのような巻き付け工程（Ｃ）の一例を示したものである。図示するように、貼付ローラ１６は成形ドラム１２の外周面から所定距離Ｘだけ離れた位置まで後退している。この離れた位置で、押出機１４から押し出されたリボン状ゴムＧを、貼付ローラ１６を経て成形ドラム１２の外周面に巻き付けている。この所定距離Ｘは、例えば、成形対象であるタイヤ構成部材（ゴム部材）の断面形状の最大厚みよりも大きければよく、最大厚みに数ｃｍの余裕を加えた距離に設定してもよい。また、この所定距離Ｘ離れた位置を、図１に示す待機状態での後方待機位置として、この範囲内のみで前進及び後退するように設定してもよい。
【００５６】
なお、上記実施形態において、タイヤ構成部材は、リボン状ゴムＧを成形ドラム１２上又は成形ドラム１２に形成した他のタイヤ構成部材上に直接巻き付けて形成してもよい。そのため、回転支持体である成形ドラム１２の外周面には、成形ドラム１２上に形成した他のタイヤ構成部材（成型途中のタイヤ）の外周面も含まれる。
【００５７】
また、上記実施形態では、グリーンタイヤを成形するタイヤ成形装置１０について説明したが、これには限定されない。例えば、リボン状ゴムＧを巻き付ける回転支持体には、更正タイヤにおける台タイヤや、ゴム部材を積層して形成する他のドラム、又はドラム上に形成した他のゴム部材（形成途中のゴム部材）等、様々なゴム部材の形成時に使用される回転支持体が含まれる。
【００５８】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１０…タイヤ成形装置（ゴム部材の製造装置）、１２…成形ドラム（回転支持体）、１４…押出機、１６…貼付ローラ、１８…切断手段、２０，２２…送りローラ、２４…回収装置、２６…移動手段、３１…噴出口、４４…制御部、Ｇ…リボン状ゴム
【図１】
2018149680.tif 000003
【図２】
2018149680.tif 000004
【図３】
2018149680.tif 000005
【図４】
2018149680.tif 000006
【図５】
2018149680.tif 000007
【図６】
2018149680.tif 000008
【図７】
2018149680.tif 000009
【図８】
2018149680.tif 000010
【図９】
2018149680.tif 000011
【図１０】
2018149680.tif 000012